(57)【要約】【課題】無駄な電力消費を抑制し、余分な放熱対策が不要である照明装置を提供する。【解決手段】ＤＣ／ＤＣコンバータ３３は、整流回路３２から出力された直流電圧を所要の直流電圧に変換する。ＰＷＭ制御回路３４は、ＤＣ／ＤＣコンバータ３３から出力された直流電圧に対してパルス幅変調を行うことによりＬＥＤモジュール４２に供給する電力を制御する。太陽電池７０は、ＬＥＤモジュール４２からの光を電力に変換し、変換した電力を制御部６０（制御用マイクロコンピュータ６１及びメモリ６２）へ供給する。制御用マイクロコンピュータ６１は、リモコン受光部４５が出力した信号を取得し、取得した信号に基づいて、制御信号をＰＷＭ制御回路３４へ出力する。【選択図】図５
2013225450.tif 000002
【特許請求の範囲】
【請求項１】
外部電源からの電力を光源へ供給する電源部と、該電源部が前記光源へ供給する電力を制御する制御信号を出力する制御部とを備える照明装置において、
前記光源からの光を電力に変換し、変換した電力を前記制御部へ供給する光電変換素子を備え、
前記制御部は、
前記外部電源から前記光源への給電系統から独立してあり、前記光電変換素子が変換した電力により駆動されるようにしてあることを特徴とする照明装置。
【請求項２】
前記光電変換素子が前記制御部へ出力する電圧は、前記電源部が前記光源へ出力する電圧よりも低いことを特徴とする請求項１に記載の照明装置。
【請求項３】
前記光源は、
照明光を出射する主光源と、
該主光源の消灯時に点灯する補助光源と
を備え、
前記光電変換素子は、
前記補助光源からの光を電力に変換し、変換した電力を前記制御部へ供給するように構成してあることを特徴とする請求項１又は請求項２に記載の照明装置。
【請求項４】
前記光源は、ＬＥＤであることを特徴とする請求項１から請求項３までのいずれか１項に記載の照明装置。
【請求項５】
前記光源を調光するための信号を取得する取得部を備え、
前記制御部は、
前記取得部で取得した信号に基づいて、前記電源部が供給する電力を制御するように構成してあることを特徴とする請求項１から請求項４までのいずれか１項に記載の照明装置。
【発明の詳細な説明】
【技術分野】
【０００１】
本発明は、光源へ電力を供給する電源部と、電源部が供給する電力を制御する制御部とを備える照明装置に関する。
【背景技術】
【０００２】
近年、発光ダイオード（ＬＥＤ）を光源とする照明装置が様々な用途向けに開発されており、白熱電球や蛍光灯等の従来の光源を用いた照明装置に対する置換えが行われつつある。また、光源を所望の明るさに調整するためや点灯状態を調整するためにリモコンなどの遠隔端末からに信号を検出するセンサ等を備えた照明装置が開発されている。
【０００３】
このような従来の照明装置は、発光ダイオードに所望の電力を供給するための電源部、当該電源部が発光ダイオードに供給する電力を制御するためのマイクロコンピュータなどを備える（例えば、特許文献１参照）。
【０００４】
図８は従来の照明装置２００の構成の一例を示すブロック図である。図８に示すように、従来の照明装置２００は、商用電源などから侵入してくるノイズを除去するためのノイズフィルタ回路２０１、交流電圧を整流して直流電圧に変換する整流回路２０２、整流回路２０２から出力された直流電圧を所要の直流電圧に変換するＤＣ／ＤＣコンバータ２０３、ＤＣ／ＤＣコンバータ２０３から出力された直流電圧に対してパルス幅変調を行うことによりＬＥＤモジュール２１０に供給する電流を制御するＰＷＭ制御回路２０４、ＰＷＭ制御回路２０４の制御を行う制御用マイクロコンピュータ２０５、ＬＥＤモジュール２１０に流れる電流及び印加された電圧を検出する電流電圧検出回路２０６などを備えている。また、ＤＣ／ＤＣコンバータ２０３は、ＬＥＤモジュール２１０へ出力する電圧とは別に、制御用マイクロコンピュータ２０５用の電圧を生成して出力する。
【先行技術文献】
【特許文献】
【０００５】
【特許文献１】特開２０１０−２８２８４１号公報
【発明の概要】
【発明が解決しようとする課題】
【０００６】
しかしながら、図８に示すような従来の照明装置にあっては、ＤＣ／ＤＣコンバータ２０３は、入力側の直流電圧をＬＥＤモジュール２１０へ供給するのに最適な直流電圧に変換するとともに、制御用マイクロコンピュータ２０５へ所要の電圧を供給するために、ＬＥＤモジュール２１０へ供給する電圧をさらに降圧し、降圧した電圧を制御用マイクロコンピュータ２０５へ供給している。
【０００７】
特に、ＬＥＤモジュール２１０へ供給する電圧は、直列に接続されるＬＥＤの個数に応じて、例えば、２０Ｖ〜６０Ｖと比較的高い電圧が要求される。一方、制御用マイクロコンピュータ２０５へ供給する電圧は、例えば、３Ｖ〜５Ｖと比較的低い電圧である。このため、ＤＣ／ＤＣコンバータ２０３は、制御用マイクロコンピュータ２０５へ所要の電圧を供給するために、比較的高い電圧（例えば、２０Ｖ〜６０Ｖ）を低い電圧（例えば、３Ｖ〜５Ｖ）に降圧する回路（例えば、降圧用の抵抗素子など）を備える必要がある。そして、かかる降圧によって生じる電圧差が、いわゆる電力損失となり、無駄な電力消費が発生するとともに、電力損失が熱エネルギーとなるため、余分な放熱対策が必要であった。
【０００８】
本発明は斯かる事情に鑑みてなされたものであり、無駄な電力消費を抑制し、余分な放熱対策が不要である照明装置を提供することを目的とする。
【課題を解決するための手段】
【０００９】
本発明に係る照明装置は、外部電源からの電力を光源へ供給する電源部と、該電源部が前記光源へ供給する電力を制御する制御信号を出力する制御部とを備える照明装置において、前記光源からの光を電力に変換し、変換した電力を前記制御部へ供給する光電変換素子を備え、前記制御部は、前記外部電源から前記光源への給電系統から独立してあり、前記光電変換素子が変換した電力により駆動されるようにしてあることを特徴とする。
【００１０】
本発明にあっては、光源からの光を電力に変換し、変換した電力を制御部へ供給する光電変換素子を備える。光電変換素子は、例えば、太陽電池である。電源部が光源へ供給する電力を制御する制御部は、外部電源から光源への給電系統から独立してあり、光電変換素子が変換した電力により駆動される。例えば、制御部は、光電変換素子が変換した電力のみで駆動される。制御部は、例えば、マイクロコンピュータである。光電変換素子が制御部へ電力（所要の電圧）を供給し、さらに制御部は、外部電源から光源への給電系統から独立してあり、外部電源からの電力を電源部から供給されないので、電源部が光源へ供給する電力（電圧）とは別に、制御部へ供給する電力（電圧）を生成する必要がない。すなわち、制御部を駆動するために外部電源からの電圧を降圧する必要がない。このため、制御部へ供給する電力（電圧）を生成する際に生ずる無駄な電力消費を抑制することができ、無駄な電力消費を抑制することができる分だけ、余計な放熱対策が不要となる。
【００１１】
本発明に係る照明装置は、前記光電変換素子が前記制御部へ出力する電圧は、前記電源部が前記光源へ出力する電圧よりも低いことを特徴とする。
【００１２】
本発明にあっては、光電変換素子が制御部へ出力する電圧は、電源部が光源へ出力する電圧よりも低い。すなわち、電源部が光源へ出力する電圧と制御部へ出力する電圧との電圧差に相当する電圧を降圧する際に生ずる無駄な電力消費を抑制することができる。また、当該降圧によって必要となる放熱対策が不要となるので、例えば、放熱用部品（例えば、ヒートシンクなど）を小さくすることができ、放熱による発熱も少なくなることから、照明装置の小型化、軽量化を図ることができる。
【００１３】
本発明に係る照明装置は、前記光源は、照明光を出射する主光源と、該主光源の消灯時に点灯する補助光源とを備え、前記光電変換素子は、前記補助光源からの光を電力に変換し、変換した電力を前記制御部へ供給するように構成してあることを特徴とする。
【００１４】
本発明にあっては、光源は、照明光を出射する主光源と、主光源の消灯時に点灯する補助光源とを備え、光電変換素子は、補助光源からの光を電力に変換し、変換した電力を制御部へ供給する。補助光源は、電源部から受電することができ、少なくとも主光源の消灯時に点灯する。例えば、主光源の点灯後は補助光源を消灯させてもよい。光電変換素子として、例えば、太陽電池を使用する場合に、当該太陽電池は、主光源が消灯しているときでも、補助光源からの光を受光することができるので、蓄電用の部品を具備することなく、常に制御部へ所要の電力（電圧）を供給することができる。そして、電源部が主光源に電力を供給開始する前に、制御部は自身の動作を行うことができるので、例えば、リモコン消灯の後にリモコン点灯が可能であり、また、リモコンによる再点灯時、及び主電源オンによる再点灯時に消灯前の調光率で主光源を点灯させることが可能となる。なお、主光源の点灯後に補助光源を消灯させる場合には、補助光源の寿命を長くすることができるとともに、消費電力を低減することができる。
【００１５】
本発明に係る照明装置は、前記光源は、ＬＥＤであることを特徴とする。
【００１６】
本発明にあっては、光源は、ＬＥＤである。ＬＥＤの高輝度化、高出力化に伴って、ＬＥＤモジュールへ供給する電圧も高くなりつつある。このため、ＬＥＤに供給する電圧と、制御部へ供給する電圧との電圧差は大きくなる傾向にある。そして、従来であれば、ＬＥＤの高輝度化、高出力化に伴って増大する無駄な電力消費（電力損失）を、本発明にあっては、低減することができる。
【００１７】
本発明に係る照明装置は、前記光源を調光するための信号を取得する取得部を備え、前記制御部は、前記取得部で取得した信号に基づいて、前記電源部が供給する電力を制御するように構成してあることを特徴とする。
【００１８】
本発明にあっては、光源を調光するための信号を取得する取得部を備え、制御部は、取得部で取得した信号に基づいて、電源部が供給する電力を制御する。これにより、無駄な電力消費を抑制しつつ、調光機能を具備することができる。
【発明の効果】
【００１９】
本発明によれば、無駄な電力消費を抑制し、余分な放熱対策が不要となる。
【図面の簡単な説明】
【００２０】
【図１】本実施の形態の照明装置の外観図である。
【図２】本実施の形態の照明装置の要部分解斜視図である。
【図３】本実施の形態の照明装置の要部断面図である。
【図４】光源モジュールの発光面の構造例を示す平面図である。
【図５】本実施の形態の照明装置の回路構成の一例を示すブロック図である。
【図６】本実施の形態の照明装置の処理手順を示すフローチャートである。
【図７】本実施の形態の照明装置の回路構成の他の例を示すブロック図である。
【図８】従来の照明装置の回路構成の一例を示すブロック図である。
【発明を実施するための最良の形態】
【００２１】
以下、本発明をその実施の形態を示す図面に基づいて説明する。図１は本実施の形態の照明装置１００の外観図であり、図２は本実施の形態の照明装置１００の要部分解斜視図であり、図３は本実施の形態の照明装置１００の要部断面図である。図１に示すように、照明装置１００は、例えば、４０Ｗ、６０Ｗなどの電球型をなすＬＥＤ電球であり、外観視において、外部のソケットに嵌めて商用電源に電気的に接続するための口金１０、放熱部１３、口金１０と放熱部１３とを絶縁する絶縁部１１、中空の略半球殻の透光部５０、後述するＬＥＤモジュールを載置し、放熱部１３と熱的に接続された円板状の放熱板２０などを備えている。
【００２２】
図２及び図３に示すように、放熱板２０には、基板４１の表面にＬＥＤモジュール４２が実装された光源モジュール４０をねじ２１で取り付けてある。光源モジュール４０と放熱板２０との間は、熱伝導効率を向上させるために熱伝導シートや高熱伝導性の樹脂を塗布することにより、光源モジュール４０で発生した熱を放熱板２０、及び放熱部１３を介して外部へ放熱することができる。
【００２３】
放熱部１３は、例えば、アルミニウム等の軽量かつ熱伝導性の高い金属からなり、略円筒形状をしている。また、放熱部１３は、円筒の外周面に複数の放熱溝を有しており、光源モジュール４０から放熱部１３に伝達される熱は放熱溝を利用して外周面から外部の空気に放熱される。なお、放熱部１３と放熱板２０との間には、水分が内部に侵入しないように合成ゴム製の防水用パッキン１９を設けている。また、放熱部１３と絶縁部１１は、ねじ１４により固定されている。
【００２４】
放熱部１３は、内部に空洞が形成されており、放熱部１３の内部には、配線２２を介して光源モジュール４０のＬＥＤモジュール４２へ所要の電力（電圧、電流）を供給するための電源部３０を配置してある。電源部３０は、例えば、電源基板に所要の電子部品等を装着して構成してある。
【００２５】
また、放熱部１３の内部には、電源部３０がＬＥＤモジュール４２へ供給する電力を制御する制御部６０を配置してある。制御部６０は、例えば、制御基板に、リモコン等の遠隔端末（不図示）からに信号を取得（受光）する取得部としてのリモコン受光部４５、及び所要の電子部品等を装着して構成してある。
【００２６】
電源部３０及び制御部６０は、ホルダ１６内に収容してある。電源部３０と口金１０との間には、商用電源を電源部３０に供給するための電源線１７を設けている。
【００２７】
ホルダ１６に収容された電源部３０及び制御部６０の周囲には、電源部３０及び制御部６０で発生した熱を放熱部１３及び口金１０へ効率よく熱伝導させるために、高伝導率の合成樹脂２５（例えば、ポリウレタン樹脂など）を充填してある。また、合成樹脂２５は、高い電気絶縁性、低い透水性、難燃性を有するものが好ましい。なお、合成樹脂２５は、放熱部１３内部の電気的配線が終了し、放熱部１３と口金１０が機械的に接合された状態で、放熱部１３の内部に充填し、所要の温度で硬化させることができる。
【００２８】
図２及び図３に示すように、光源モジュール４０の発光面側には、複数の光電変換素子としての太陽電池７０を取り付けてある。また、ＬＥＤモジュール４２の発光面及び太陽電池７０の受光面側を覆うように透過シート２３を取り付けてある。
【００２９】
透過シート２３は、ＬＥＤモジュール４２からの光を透光部５０の方向へ透過させる。また、透過シート２３は、透光部５０の内側で反射した光の一部を太陽電池７０の受光面へ透過させるとともに、透光部５０の内側で反射した光の一部を太陽電池７０の受光面へ透過させることなく再び透光部５０の方向へ反射させる。透過シート２３は、半透過半反射部材である。
【００３０】
なお、透過シート２３は必須ではない。また、透過シート２３に代えて、反射シートを用いることもできる。反射シートを用いる場合には、反射シートが太陽電池７０の受光面を覆わないように配置する必要がある。反射板は、ＬＥＤモジュール４２が配置された位置に対応する箇所に、ＬＥＤモジュール４２の寸法と略同寸法の挿通穴を設けてあり、該挿通穴にＬＥＤモジュール４２を挿通させた状態で取り付けることができる。
【００３１】
透光部５０は、乳白色のガラス製であって放熱板２０に接着剤により固定されている。透光部５０には、ＬＥＤモジュール４２（光源モジュール４０）からの光を拡散させることができる。なお、透光部５０は、ガラス製に限定されるものではなく、乳白色のポリカーボネート樹脂などを用いることもできる。
【００３２】
図４は光源モジュール４０の発光面の構造例を示す平面図である。光源モジュール４０は、アルミニウム合金などからなる略円形の基板４１上に複数のＬＥＤモジュール４２を環状に適長隔離して装着してある。図４の例では、６個のＬＥＤモジュール４２を装着した構成であるが、ＬＥＤモジュール４２の数や配置は、図４の例に限定されるものではなく、照明装置の仕様や用途に応じて、個数を変更することや、配置を略矩形状にするなど適宜行うことができる。なお、基板４１は、セラミックなどであってもよい。
【００３３】
ＬＥＤモジュール４２は、所要の発光色のものを使用することができ、例えば、白色のものを用いることができる。なお、発光色は、白色に限定されるものではなく、昼白色や電球色であってもよい。
【００３４】
基板４１には、中央部に円形状の穴４４を設けてある。そして、リモコン等の遠隔端末（不図示）から信号を受光するリモコン受光部４５は、穴４４のほぼ中央に配置されている。
【００３５】
また、基板４１上に複数の太陽電池７０を装着してある。図４の例では、３個の太陽電池７０を装着した構成であるが、太陽電池７０の数や配置は、図４の例に限定されるものではない。
【００３６】
図５は本実施の形態の照明装置１００の回路構成の一例を示すブロック図である。電源部３０は、外部電源（例えば、商用電源）からの電力をＬＥＤモジュール４２へ供給する機能を有し、外部電源などから侵入してくるノイズを除去するためのノイズフィルタ回路３１、交流電圧を整流して直流電圧に変換する整流回路３２、整流回路３２から出力された直流電圧を所要の直流電圧に変換するＤＣ／ＤＣコンバータ３３、ＤＣ／ＤＣコンバータ３３から出力された直流電圧に対してパルス幅変調を行うことによりＬＥＤモジュール４２に供給する電力（電流）を制御するＰＷＭ制御回路３４、ＬＥＤモジュール４２に流れる電流及びＬＥＤモジュール４２に印加される電圧を検出する電流電圧検出回路３６などを備える。
【００３７】
ＰＷＭ制御回路３４は、制御用マイクロコンピュータ６１から出力された制御信号を取得し、取得した制御信号に応じたＰＷＭ制御をＬＥＤモジュール４２に対して行う。ＰＷＭ制御回路３４は、ＦＥＴなどのスイッチング素子を備え、例えば、３００Ｈｚ〜３ｋＨｚの範囲内の任意のＰＷＭ周波数を用いて、ＤＣ／ＤＣコンバータ３３の出力をオン／オフしてＰＷＭ制御を行うことができる。
【００３８】
制御部６０は、電源部３０がＬＥＤモジュール４２へ供給する電力（電流）を制御する機能を有し、具体的には、制御用マイクロコンピュータ６１、メモリ６２などを備える。制御用マイクロコンピュータ６１は、ＰＷＭ制御回路３４の制御を行うことにより、ＬＥＤモジュール４２へ供給する電力（電流）を制御することができる。
【００３９】
なお、図５の例では、ＤＣ／ＤＣコンバータ３３とＰＷＭ制御回路３４とを別の構成として分けて図示しているが、ＤＣ／ＤＣコンバータ３３の内部にＰＷＭ制御回路３４を組み込むことも可能である。この場合には、制御用マイクロコンピュータ６１は、ＤＣ／ＤＣコンバータ３３の制御を行うことにより、ＬＥＤモジュール４２へ供給する電力（電流）を制御することができる。
【００４０】
リモコン受光部４５は、ユーザが操作するリモコン（不図示）に内蔵された赤外線ＬＥＤからの赤外線を受光し、リモコンから送信された信号を抽出し、抽出した信号を制御用マイクロコンピュータ６１へ出力する。リモコンから送信される信号は、例えば、ＬＥＤモジュール４２を点灯、消灯、調光（例えば、７０％、５０％、３０％などの調光レベル）するためのものである。なお、発光色の異なるＬＥＤモジュールを装着しておき、リモコンからの信号により調色制御を行うこともできる。
【００４１】
制御用マイクロコンピュータ６１は、リモコン受光部４５が出力した信号を取得し、取得した信号に基づいて、ＰＷＭ制御回路３４を制御すべく制御信号をＰＷＭ制御回路３４へ出力する。また、制御用マイクロコンピュータ６１は、リモコン受光部４５が出力した信号を取得する都度、取得した信号を調光レベルのデータとしてメモリ６２に記憶する。これにより、制御用マイクロコンピュータ６１は、ＬＥＤモジュール４２の状態（例えば、点灯、消灯又は調光レベルなど）を更新しつつ最新の状態を把握することができる。
【００４２】
太陽電池７０は、ＬＥＤモジュール４２からの光を電力に変換し、変換した電力を制御部６０（制御用マイクロコンピュータ６１及びメモリ６２）へ供給する。すなわち、制御用マイクロコンピュータ６１は、外部電源からＬＥＤモジュール４２への給電系統から独立してあり、自身が動作するのに必要な電力（電圧）をＤＣ／ＤＣコンバータ３３からではなく、太陽電池７０から受け取る。また、太陽電池７０は、電源部３０と協働して制御部６０へ電力を供給するのではなく、単独で制御部６０へ電力を供給する。例えば、制御部６０（制御用マイクロコンピュータ６１及びメモリ６２）は、太陽電池７０が変換した電力のみで駆動される。
【００４３】
太陽電池７０が、制御用マイクロコンピュータ６１及びメモリ６２へ電力（所要の電圧）を供給するので、電源部３０（具体的には、ＤＣ／ＤＣコンバータ３３）がＬＥＤモジュール４２へ供給する電力（電圧）とは別に、制御部６０へ供給する電力（電圧）を生成する必要がない。このため、制御部６０へ供給する電力（電圧）を生成する際に生ずる無駄な電力消費（例えば、外部電源からの電圧を降圧するのに必要な電力）を抑制することができ、無駄な電力消費を抑制することができる分だけ、余計な放熱対策が不要となる。
【００４４】
また、太陽電池７０が制御部６０へ出力する電圧は、電源部３０がＬＥＤモジュール４２へ出力する電圧よりも低い。例えば、ＤＣ／ＤＣコンバータ３３がＬＥＤモジュール４２へ出力する電圧の波高値は、例えば、２０Ｖ〜６０Ｖであるのに対し、制御用マイクロコンピュータ６１は、３Ｖ〜５Ｖの電圧で動作することができる。
【００４５】
すなわち、電源部３０がＬＥＤモジュール４２へ出力する電圧（例えば、２０Ｖ〜６０Ｖ）と、仮に制御部６０へ出力するとした場合の電圧（例えば、３Ｖ〜５Ｖ）との電圧差（例えば、１５Ｖ〜５７Ｖ）に相当する電圧を、抵抗等により降圧する際に生ずる無駄な電力消費（抵抗等で発生する電力損失）を抑制することができる。また、当該降圧によって必要となる放熱対策が不要となるので、例えば、放熱用部品（例えば、電源基板又は制御基板等に装着されるヒートシンクなど）を小さくすることができ、放熱による発熱も少なくなることから、照明装置の小型化、軽量化を図ることができる。
【００４６】
また、前述のように、照明装置１００は、光源としてＬＥＤ（ＬＥＤモジュール４２）を用いる。ＬＥＤの高輝度化、高出力化に伴って、ＬＥＤモジュール４２へ供給する電圧も高くなりつつある。このため、ＬＥＤモジュール４２に供給する電圧と、制御部６０へ供給する電圧との電圧差は大きくなる傾向にある。そして、従来であれば、ＬＥＤの高輝度化、高出力化に伴って増大する無駄な電力消費（電力損失）を、本実施の形態により低減することができる。
【００４７】
また、ＬＥＤモジュール４２を調光するための信号を受光するリモコン受光部４５を備える。制御用マイクロコンピュータ６１は、リモコン受光部４５で受光した信号に基づいて、ＰＷＭ制御回路３４を制御して、電源部３０（ＤＣ／ＤＣコンバータ３３）がＬＥＤモジュール４２へ供給する電力（電流）を制御する。これにより、無駄な電力消費を抑制しつつ、調光機能を具備することができる。
【００４８】
次に、本実施の形態の照明装置１００の動作について説明する。図６は本実施の形態の照明装置１００の処理手順を示すフローチャートである。照明装置１００は、電源スイッチ（例えば、壁等に設けられたスイッチなど）がオンされたか否かを判定し（Ｓ１１）、電源スイッチがオンされていない場合（Ｓ１１でＮＯ）、ステップＳ１１の処理を続ける。電源スイッチがオンされた場合（Ｓ１１でＹＥＳ）、照明装置１００は、ＬＥＤモジュール４２を点灯する（Ｓ１２）。
【００４９】
なお、電源スイッチがオンされたか否かは、ＤＣ／ＤＣコンバータ３３の入力側に電圧が供給された否かに基づいて判定され、ＤＣ／ＤＣコンバータ３３の入力側に電圧が供給された場合、ＤＣ／ＤＣコンバータ３３は、予め設定された条件（例えば、調光レベルが１００％の全点灯の状態）となるような電力（電流）をＬＥＤモジュール４２へ供給する。すなわち、電源が最初にオンされた状態では、ＰＷＭ制御回路３４は、調光レベルが１００％であるとして制御を行うことができる。
【００５０】
ＬＥＤモジュール４２が点灯すると、照明装置１００は、太陽電池７０でＬＥＤモジュール４２からの光を受光し、受光した光を電力に変換して制御用マイクロコンピュータ６１へ電力（電圧）を供給する（Ｓ１３）。
【００５１】
制御用マイクロコンピュータ６１は、太陽電池７０から所要の電圧（例えば、３Ｖ〜５Ｖ）が供給されると動作可能となり、照明装置１００は、制御用マイクロコンピュータ６１による制御を開始する（Ｓ１４）。より具体的には、制御用マイクロコンピュータ６１は、メモリ６２に記憶された直近の調光レベルのデータを読み出し、読み出した調光レベルに基づいた制御信号をＰＷＭ制御回路３４へ出力する。これにより、ＬＥＤモジュール４２は、消灯前の調光レベルで点灯する。なお、電源スイッチがオンとなった時点から制御用マイクロコンピュータ６１が動作開始するまでの時間は、極めて短いので、ＬＥＤモジュール４２の光出力の変化（明るさの変化）は、無視することができる程度である。
【００５２】
照明装置１００は、調光信号を受信したか否かを判定し（Ｓ１５）、調光信号を受信した場合（Ｓ１５でＹＥＳ）、制御用マイクロコンピュータ６１による調光制御を行い（Ｓ１６）、調光レベルのデータを記憶する（Ｓ１７）。これにより、調光信号を取得する都度、調光レベルを更新することができる。調光信号を受信していない場合（Ｓ１５でＮＯ）、照明装置１００は、後述のステップＳ１８の処理を行う。
【００５３】
照明装置１００は、電源スイッチがオフされたか否かを判定し（Ｓ１８）、電源スイッチがオフされていない場合（Ｓ１８でＮＯ）、ステップＳ１５以降の処理を続ける。電源スイッチがオフされた場合（Ｓ１８でＹＥＳ）、照明装置１００は、ＬＥＤモジュール４２を消灯し（Ｓ１９）、処理を終了する。
【００５４】
上述の例では、太陽電池７０は、照明用の光源としてのＬＥＤモジュール４２からの光を電力に変換する構成であったが、太陽電池７０用の光源は、ＬＥＤモジュール４２に限定されるものではない。
【００５５】
図７は本実施の形態の照明装置１１０の回路構成の他の例を示すブロック図である。図５に例示した構成との相違点は、光源は、照明光を出射する主光源としてのＬＥＤモジュール４２、及びＬＥＤモジュール４２の消灯時に点灯する補助光源としての補助ＬＥＤモジュール９０を備える点である。すなわち、太陽電池７０は、補助ＬＥＤモジュール９０からの光を電力に変換し、変換した電力を制御部６０（制御用マイクロコンピュータ６１及びメモリ６２）へ供給する。なお、この場合、太陽電池７０は、ＬＥＤモジュール４２からの光も受光するようにしてもよい。
【００５６】
ＤＣ／ＤＣコンバータ３３は、補助ＬＥＤモジュール９０へ電力を供給する。この場合、ＤＣ／ＤＣコンバータ３３は、ＬＥＤモジュール４２が消灯状態である場合にも、補助ＬＥＤモジュール９０を点灯するために、補助ＬＥＤモジュール９０へ電力を供給する。ＬＥＤモジュール４２の点灯及び消灯の制御は、ＰＷＭ制御回路３４により行われる。
【００５７】
補助ＬＥＤモジュール９０は、太陽電池７０の数又は配置によって、適宜の数のＬＥＤで構成される。そして、補助ＬＥＤモジュール９０とＬＥＤモジュール４２との動作電圧（所要の電圧）を同じ電圧にすることにより、ＤＣ／ＤＣコンバータ３３は、図５の例と同様に、１つの電圧値を出力する構成とすることができる。
【００５８】
上述のように、ＬＥＤモジュール４２が消灯している場合でも、点灯状態とすることができる補助ＬＥＤモジュール９０を備える。そして、太陽電池７０は、補助ＬＥＤモジュール９０からの光を電力に変換し、変換した電力を制御部６０へ供給する。太陽電池７０は、補助ＬＥＤモジュール９０からの光を受光することができるので、蓄電用の部品を具備することなく、ＬＥＤモジュール４２が消灯している場合でも、制御部６０へ所要の電力（電圧）を供給することができる。そして、電源部３０がＬＥＤモジュール４２に電力を供給開始する前に、制御用マイクロコンピュータ６１は自身の動作を行うことができるので、制御用マイクロコンピュータ６１は、ＬＥＤモジュール４２の点灯開始時点から電源部３０がＬＥＤモジュール４２へ供給する電力を制御することができる。例えば、リモコン消灯の後にリモコン点灯が可能であり、また、リモコンによる再点灯時、及び主電源オンによる再点灯時に消灯前の調光率で光源を点灯させることが可能となる。なお、ＬＥＤモジュール４２の点灯後に補助ＬＥＤモジュール９０を消灯させる場合には、補助ＬＥＤモジュール９０の寿命を長くすることができるとともに、消費電力を低減することができる。
【００５９】
また、ＬＥＤモジュール４２が消灯している場合でも、制御用マイクロコンピュータ６１は動作を行うことができるので、ＬＥＤモジュール４２の消灯時であっても、リモコン受光部４５は、リモコンから送信された点灯信号を抽出し、制御用マイクロコンピュータ６１はリモコン受光部４５が出力した点灯信号を取得し、取得した点灯信号に基づいてＰＷＭ制御回路３４を制御してＬＥＤモジュール４２を消灯前の調光レベルで点灯させることができる。
【００６０】
なお、補助ＬＥＤモジュール９０の配置位置は特に限定されないが、補助ＬＥＤモジュール９０は、ＬＥＤモジュール４２の消灯時にも点灯しているため、補助ＬＥＤモジュール９０からの光が照明装置１１０の外部に漏れない位置、例えば、照明装置１１０の内部に配置することが好ましい。
【００６１】
上述の実施の形態では、電球型の照明装置について説明したが、照明装置の形状は電球型に限定されるものでなく、いわゆる矩形型、丸型、直管型など他の形状であってよい。また、光源としてＬＥＤモジュールを備える照明装置について説明したが、光源はＬＥＤモジュールに限定されるものではなく、面発光を有する発光素子であれば、有機ＥＬなど他の光源でもよい。
【符号の説明】
【００６２】
３０  電源部
３３  ＤＣ／ＤＣコンバータ
３４  ＰＷＭ制御回路
４２  ＬＥＤモジュール
４５  リモコン受光部
６０  制御部
６１  制御用マイクロコンピュータ
７０  太陽電池
９０  補助ＬＥＤモジュール
【図１】
2013225450.tif 000003
【図２】
2013225450.tif 000004
【図３】
2013225450.tif 000005
【図４】
2013225450.tif 000006
【図５】
2013225450.tif 000007
【図６】
2013225450.tif 000008
【図７】
2013225450.tif 000009
【図８】
2013225450.tif 000010